【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
試薬が収容された複数の試薬容器を配置するための試薬配置部と、
前記試薬配置部に配置された試薬容器内の試薬の残量を示す試薬残量情報を記憶する記憶部と、
前記試薬容器内の試薬の量を反映した値を計測するためのセンサと、
前記試薬容器内に残存する試薬の量を取得する残量取得指示を受け付けると、前記試薬配置部に配置された複数の試薬容器のうち、前記記憶部に試薬残量情報が記憶されていない試薬容器内の試薬の量を反映した値を前記センサにより計測し、前記センサによる計測結果に基づいて取得した試薬残量情報を前記記憶部に格納する制御部と、
検体と前記試薬容器内の試薬とから測定試料を調製する試料調製部と、
当該試料調製部により調製された測定試料に含まれる所定の成分に関する情報を検出する検出部と
を備えたことを特徴とする検体分析装置。
【請求項２】
表示部をさらに備え、
前記制御部は、前記記憶部に試薬残量情報が記憶されている試薬容器については、その試薬残量情報を前記表示部に表示させるように構成されており、前記残量取得指示を受け付けると、前記記憶部に試薬残量情報が記憶されていない残り全ての試薬容器について試薬残量情報を取得して前記表示部に表示させるように構成されている、請求項１に記載の検体分析装置。
【請求項３】
前記試薬配置部は複数の試薬容器を配置可能に構成され、
前記制御部は、前記試薬配置部に配置された複数の試薬容器内に残存する各試薬の量を取得する残量取得指示を、共通する一の操作により受け付けることが可能に構成され、前記残量取得指示を共通する一の操作により受け付けた場合に、前記センサにより、複数の試薬容器内の各試薬の量を反映した値を計測する、請求項１または２に記載の検体分析装置。
【請求項４】
表示部をさらに備え、
前記制御部は、ユーザにより選択可能な所定の選択ボタンを表示する表示画面を前記表示部に表示させ、前記選択ボタンが選択された場合に、前記残量取得指示を受け付けるよう構成されている、請求項１に記載の検体分析装置。
【請求項５】
表示部をさらに備え、
前記制御部は、前記記憶部に記憶された試薬残量情報を前記表示部に表示させ、前記試薬配置部に配置された試薬容器の交換指示を受け付けると、交換指示を受け付けた試薬容器の試薬残量情報を前記表示部から削除するように構成されている、請求項１に記載の検体分析装置。
【請求項６】
前記試薬配置部には、第１の試薬を収容する第１試薬容器が配置されており、
前記検体分析装置は、
表示部と、
前記試薬配置部に配置された試薬容器を識別する識別情報を取得する識別情報取得部と、をさらに備え、
前記制御部は、前記記憶部に記憶された試薬残量情報を前記表示部に表示させ、前記識別情報取得部により取得された識別情報に基づいて、前記第１の試薬とは異なる第２の試薬を収容する第２試薬容器が、前記第１試薬容器が配置されていた位置に新たに配置されたと判定すると、前記第１試薬容器の試薬残量情報を前記表示部から削除するように構成されている、請求項１に記載の検体分析装置。
【請求項７】
表示部をさらに備え、
前記制御部は、前記記憶部に記憶された試薬残量情報を前記表示部に表示させ、この表示部に表示された試薬残量情報の削除を行う試薬容器の指定を受け付けると、前記試薬容器の試薬残量情報を前記表示部から削除するように構成されている、請求項１に記載の検体分析装置。
【請求項８】
前記センサは、前記試薬容器内の試薬の液面を検知するための液面検知センサを含み、
前記制御部は、前記残量取得指示を受け付けた場合に、前記液面検知センサにより前記試薬配置部に配置された試薬容器内の試薬の液面を検知し、前記液面検知センサによる検知結果に基づいて取得した試薬残量情報を前記記憶部に格納するように構成されている、請求項１〜７のいずれかに記載の検体分析装置。
【請求項９】
前記センサは、前記試薬配置部に配置された試薬容器内の試薬の液面を検知するための第２液面検知センサを含み、
前記試料調製部は、
試薬を吸引するための試薬吸引ピペットと、
検体を吸引するための検体吸引ピペットと
をさらに備え、
前記液面検知センサは、前記試薬配置部に配置された試薬容器内の試薬に接触し得る第１導電部材と、この第１導電部材を移動させる第１移動機構と、前記第１導電部材に電気的に接続され、前記第１導電部材が試薬に接触することにより生じる電気的情報が入力される第１電気回路とを含み、
前記第２液面検知センサは、前記試薬配置部に配置された試薬容器内の試薬に接触し得る第２導電部材と、この第２導電部材を移動させる第２移動機構と、前記第２導電部材に電気的に接続され、前記第２導電部材が試薬に接触することにより生じる電気的情報が入力される第２電気回路とを含み、
前記第１移動機構は、前記第１導電部材および前記試薬吸引ピペットを移動させるように構成され、
前記第２移動機構は、前記第２導電部材および前記検体吸引ピペットを移動させるように構成されている、請求項８に記載の検体分析装置。
【請求項１０】
前記試薬吸引ピペットが前記第１導電部材として機能するように構成され、且つ、
前記検体吸引ピペットが前記第２導電部材として機能するように構成されている、請求項９に記載の検体分析装置。
【請求項１１】
前記試薬吸引ピペットおよび前記検体吸引ピペットを洗浄するための洗浄部をさらに備え、
前記制御部は、前記両液面検知センサの一方による液面検知動作が実行されている間に、他方の液面検知センサに係わるピペットの洗浄が行われるよう、当該他方の液面検知センサおよび前記洗浄部を制御する、請求項１０に記載の検体分析装置。
【請求項１２】
前記制御部は、検体の分析項目情報を含むオーダ情報を取得し、前記記憶部に記憶された試薬残量情報、および、前記オーダ情報に基づいて、当該オーダ情報に含まれる分析項目の分析に必要な量の試薬が残っているか否かを判定し、前記オーダ情報に含まれる分析項目の分析に必要な量の試薬が残っていないと判定した場合に、警告を出力するように構成されている、請求項１〜１１のいずれか１項に記載の検体分析装置。
【請求項１３】
前記試薬配置部に配置された試薬容器が、冷凍保存された後に解凍された試薬を収容する、請求項１〜１２のいずれかに記載の検体分析装置。
【請求項１４】
前記試薬配置部に配置された試薬容器が、凍結乾燥された試薬粉末を精製水で溶かしたものを収容する、請求項１〜１２のいずれかに記載の検体分析装置。
【請求項１５】
試薬が収容された複数の試薬容器を配置するための試薬配置部と、
前記試薬配置部に配置された試薬容器を識別する識別情報を取得するための識別情報取得部と、
前記試薬配置部に配置された試薬容器内の試薬の残量を示す試薬残量情報を記憶する記憶部と、
前記試薬容器内の試薬の量を反映した値を計測するためのセンサと、
前記識別情報取得部により前記試薬配置部に配置された試薬容器の識別情報が取得されると、前記試薬配置部に配置された複数の試薬容器のうち、前記記憶部に試薬残量情報が記憶されていない試薬容器内の試薬の量を反映した値を前記センサにより計測し、前記センサによる計測結果に基づいて取得した試薬残量情報を前記記憶部に格納する制御部と、
検体と前記試薬容器内の試薬とから測定試料を調製する試料調製部と、
当該試料調製部により調製された測定試料に含まれる所定の成分に関する情報を検出する検出部と
を備えたことを特徴とする検体分析装置。
【請求項１６】
前記識別情報取得部は、前記検体分析装置が起動すると、自動的に、前記試薬配置部に配置された試薬容器の識別情報を取得するように構成されている、請求項１４に記載の検体分析装置。
【請求項１７】
前記制御部は、前記試薬配置部に新たに試薬容器が配置されたか否かを判定し、
前記識別情報取得部は、前記試薬配置部に新たに試薬容器が配置されたと前記制御部により判定されると、自動的に、前記新たに配置された試薬容器の識別情報を取得するように構成されている、請求項１５または１６に記載の検体分析装置。
【請求項１８】
試薬が収容された複数の試薬容器を配置するための試薬配置部と、
前記試薬配置部に配置された試薬容器内の試薬の残量を示す試薬残量情報を記憶する記憶部と、
前記試薬容器内の試薬の量を反映した値を計測するためのセンサと、
検体分析装置が起動すると、自動的に、前記試薬配置部に配置された複数の試薬容器のうち、前記記憶部に試薬残量情報が記憶されていない試薬容器内の試薬の量を反映した値を前記センサにより計測し、前記センサによる計測結果に基づいて取得した試薬残量情報を前記記憶部に格納する制御部と、
検体と前記試薬容器内の試薬とから測定試料を調製する試料調製部と、
当該試料調製部により調製された測定試料に含まれる所定の成分に関する情報を検出する検出部と
を備えたことを特徴とする検体分析装置。
【手続補正２】
【補正対象書類名】明細書
【補正対象項目名】０００６
【補正方法】変更
【補正の内容】
【０００６】
本発明の第１の観点に係わる検体分析装置は、試薬が収容された複数の試薬容器を配置するための試薬配置部と、前記試薬配置部に配置された試薬容器内の試薬の残量を示す試薬残量情報を記憶する記憶部と、前記試薬容器内の試薬の量を反映した値を計測するためのセンサと、前記試薬容器内に残存する試薬の量を取得する残量取得指示を受け付けると、前記試薬配置部に配置された複数の試薬容器のうち、前記記憶部に試薬残量情報が記憶されていない試薬容器内の試薬の量を反映した値を前記センサにより計測し、前記センサによる計測結果に基づいて取得した試薬残量情報を前記記憶部に格納する制御部と、検体と前記試薬容器内の試薬とから測定試料を調製する試料調製部と、当該試料調製部により調製された測定試料に含まれる所定の成分に関する情報を検出する検出部とを備えたことを特徴としている。
【手続補正３】
【補正対象書類名】明細書
【補正対象項目名】０００７
【補正方法】変更
【補正の内容】
【０００７】
本発明の第１の観点に係わる検体分析装置では、ボタンなどにより指示をすることで、測定動作が開始される前に試薬の残量を確認することができるので、測定動作中に残量が不足する可能性の高い試薬の交換準備を予め行っておくことができる。その結果、例えば、予備の試薬を配置する余裕のない装置において、装置による測定動作中に試薬の残量不足が生じた場合であっても、迅速に測定動作を再開させることができる。
【手続補正４】
【補正対象書類名】明細書
【補正対象項目名】０００８
【補正方法】変更
【補正の内容】
【０００８】
また、本発明の第２の観点に係わる検体分析装置は、試薬が収容された複数の試薬容器を配置するための試薬配置部と、前記試薬配置部に配置された試薬容器を識別する識別情報を取得するための識別情報取得部と、前記試薬配置部に配置された試薬容器内の試薬の残量を示す試薬残量情報を記憶する記憶部と、前記試薬容器内の試薬の量を反映した値を計測するためのセンサと、前記識別情報取得部により前記試薬配置部に配置された試薬容器の識別情報が取得されると、前記試薬配置部に配置された複数の試薬容器のうち、前記記憶部に試薬残量情報が記憶されていない試薬容器内の試薬の量を反映した値を前記センサにより計測し、前記センサによる計測結果に基づいて取得した試薬残量情報を前記記憶部に格納する制御部と、検体と前記試薬容器内の試薬とから測定試料を調製する試料調製部と、当該試料調製部により調製された測定試料に含まれる所定の成分に関する情報を検出する検出部とを備えたことを特徴としている。
【手続補正５】
【補正対象書類名】明細書
【補正対象項目名】００１０
【補正方法】変更
【補正の内容】
【００１０】
また、本発明の第３の観点に係わる検体分析装置は、試薬が収容された複数の試薬容器を配置するための試薬配置部と、前記試薬配置部に配置された試薬容器内の試薬の残量を示す試薬残量情報を記憶する記憶部と、前記試薬容器内の試薬の量を反映した値を計測するためのセンサと、検体分析装置が起動すると、自動的に、前記試薬配置部に配置された複数の試薬容器のうち、前記記憶部に試薬残量情報が記憶されていない試薬容器内の試薬の量を反映した値を前記センサにより計測し、前記センサによる計測結果に基づいて取得した試薬残量情報を前記記憶部に格納する制御部と、検体と前記試薬容器内の試薬とから測定試料を調製する試料調製部と、当該試料調製部により調製された測定試料に含まれる所定の成分に関する情報を検出する検出部とを備えたことを特徴としている。